(57)【要約】【課題】  ドラム型濃縮機に関し、ろ過体を走行自在なベルトで構成した吸収ベルト走行式ドラム型濃縮機を提供する。【解決手段】  両端に円環状の外環６を接続した回転自在な螺旋状のスパイラル１と、スパイラル１に掛け回した走行自在な吸収ベルト２と、吸収ベルト２を圧縮して水分を排出する脱水ロール４と、吸収ベルト２を巻き掛けたスパイラル１で構成したドラム体３の内部に挿通する供給管８とを備え、吸収ベルト２の走行と、スパイラル１の回転によってドラム体３内で汚泥を揉み解し、圧密度を変化させることで効率的な固液分離を促進できる。【選択図】  図１
2018094469.tif 000002
【特許請求の範囲】
【請求項１】
周囲にろ過体を張設したドラム体（３）の内部に汚泥を供給し、ドラム体（３）を回転させつつ汚泥を濃縮する吸水ベルト走行式ドラム型濃縮機において、
両端に円環状の外環（６，６）を接続した回転自在な螺旋状のスパイラル（１）と、
スパイラル（１）に掛け回し、吸水体で構成した走行自在な吸水ベルト（２）と、
吸水ベルト（２）を押圧して吸収した水分を排出する脱水ロール（４）と、
吸水ベルト（２）を巻き掛けたスパイラル（１）で構成したドラム体（３）の内部に挿通する汚泥の供給管（８）と、
を備えたこと
を特徴とする吸水ベルト走行式ドラム型濃縮機。
【請求項２】
前記吸水ベルト（２）を無端状に構成し、スパイラル（１）と駆動ロール（１４）に掛け回すとともに、
吸水ベルト（２）を洗浄するための洗浄装置（１８）を備えた
ことを特徴とする請求項１に記載の吸水ベルト走行式ドラム型濃縮機。
【請求項３】
前記スパイラル（１）の上方に一対のリターンロール（１３，１３）を配設し、
リターンロール（１３，１３）の間隔を、
スパイラル（１）の直径以下とする
ことを特徴とする請求項１または２に記載の吸水ベルト走行式ドラム型濃縮機。
【請求項４】
前記供給管（８）を中心軸（１９）とし、
中心軸（１９）に螺旋状のスパイラル（１ａ）を巻き掛けた
ことを特徴とする請求項１〜３の何れか１項に記載の吸水ベルト走行式ドラム型濃縮機。
【発明の詳細な説明】
【技術分野】
【０００１】
この発明は、搬送スパイラルの周囲に張設した円筒状のろ過体を有するドラム型濃縮機において、ろ過体を走行自在な吸水ベルトで構成し、吸水ベルトからろ液を回収しつつ連続的に安定した濃縮汚泥を生成する吸水ベルト走行式ドラム型濃縮機に関する。
【背景技術】
【０００２】
従来、下水、し尿、あるいは食品生産加工排水等の有機性汚泥を濃縮するベルト型濃縮機あるいはドラム型濃縮機は一般に知られている。ベルト型濃縮機あるいはドラム型濃縮機は連続的に汚泥を濃縮する装置であり、連続的に汚泥を装置に供給し、連続的に濃縮汚泥を装置から排出している。
【０００３】
特許文献１で開示されているように、無端ベルト状の吸水材上に汚泥類を載置して、汚泥中の水分を吸水材に吸収させた後に汚泥類を排除し、吸水材を圧縮して吸着した水を吐出する脱水処理方法は公知である。
【０００４】
特許文献２で開示されているように、螺旋翼をろ布で囲んだ円筒状のドラム式の脱水機において、内部に汚泥を供給して円筒体を回転させ、ろ布で固液分離を行いつつ螺旋翼で濃縮汚泥を搬送するドラム型濃縮機は公知である。
【０００５】
特許文献３で開示されているように、走行自在に配設した吸水性のある無端状のろ布を原液中に浸漬させ、吸水したろ布を濃縮槽外で脱水して原液を濃縮させる濃縮装置は公知である。
【先行技術文献】
【特許文献】
【０００６】
【特許文献１】特開昭５５−９４６９４号公報
【特許文献２】実開昭５６−４４８１９号公報
【特許文献３】特許第３６３６３５５号公報
【発明の概要】
【発明が解決しようとする課題】
【０００７】
特許文献１のような吸水性ベルトで構成したベルト型濃縮機は、ベルト上に残留する固形分が大きく姿勢を変えることがないので、固形分内部および上面の水分までは吸収されることがなく濃縮度が低い。また、ベルト状にすき返し装置を配設して固形分の姿勢を変えることも可能であるが、ベルトの搬送距離が長くなり設置スペースが大きくなる。
【０００８】
特許文献２のようなドラム式の円筒体をろ布で構成している濃縮機は、目詰まりに対するろ布の洗浄が必要となる。円筒体の外部から圧縮空気を噴射して目詰まりを解消しているが、圧縮空気では洗浄効果が低く、電気代等によるコストも高くなる。
他に洗浄水でろ布を洗浄している事例もあるが、円筒体の外部からろ布洗浄を行うためには、内部に洗浄水が流入するため、濃縮運転を停止する必要がある。なお、洗浄水がろ布に含侵することにより、汚泥に吸着している液分の吸水性が悪くなるという課題もある。
【０００９】
また、特許文献３のような吸水ろ布を原液中に浸漬させて濃縮する濃縮装置は、濃縮槽内で濃縮された汚泥量を検知して所定量に達した場合に排出している。したがって、後行程に本濃縮装置で生成した濃縮汚泥を連側的に供給することができない。さらに、原液の供給量が少ないと濃縮汚泥が濃縮槽内で留まる期間が長くなり、濃縮汚泥が濃縮槽内で変質して後行程での処理が安定しないという課題がある。
【００１０】
この発明は、濃縮性汚泥を安定して濃縮するために、吸水ベルト型濃縮機とドラム型濃縮機の優れた機能を組み合わせたもので、汚泥の姿勢を変化させつつ安定的に濃縮し、連続運転可能な吸水ベルト走行式ドラム型濃縮機を提供する。
【課題を解決するための手段】
【００１１】
この発明は、周囲にろ過体を張設したドラム体の内部に汚泥を供給し、ドラム体を回転させつつ汚泥を濃縮する吸水ベルト走行式ドラム型濃縮機において、両端に円環状の外環を接続した回転自在な螺旋状のスパイラルと、スパイラルに掛け回し、吸水体で構成した走行自在な吸水ベルトと、吸水ベルトを押圧して吸収した水分を排出する脱水ロールと、吸水ベルトを巻き掛けたスパイラルで構成したドラム体の内部に挿通する供給管と、を備えるので、ドラム体内で汚泥を揉み解し、圧密度を変化させることで効率的な固液分離が可能となる。
【００１２】
また、ベルトを無端状に構成し、スパイラルと駆動ロールに掛け回すとともに、吸水ベルトを洗浄するための洗浄装置を備えるので、連続的な濃縮運転が可能となる。
【００１３】
また、スパイラルの上方に一対のリターンロールを配設し、一対のリターンロールの間隔を、スパイラルの直径以下とすると、ベルト上に残留する汚泥が、ドラム体の底部からベルトの走行に沿って中心軸近くまで搬送された後、確実に自重によって底部に落泥する。落泥時の揉み解し作用により汚泥内部の液分が表面に抽出され、ベルトによる固液分離が促進される。
【００１４】
供給管を中心軸とし、中心軸に螺旋状のスパイラルを巻き掛けると、運転中に隣段への汚泥の越流の心配がなく、多量の処理運転にも対応できる。
【発明の効果】
【００１５】
この発明によれば、ドラム型濃縮機のろ過体を走行自在な吸水ベルトで構成しているので、吸水ベルトで定量の水分を吸収しつつ連続的な濃縮運転となる。
吸水ベルトの走行と、スパイラルの回転によってドラム体内で汚泥を揉み解し、圧密度を変化させることで、例えば、特に長尺な紐状をしている汚泥や繊維分が絡み合った汚泥でも、効率的な固液分離が可能となる。
【図面の簡単な説明】
【００１６】
【図１】本発明に係る吸水ベルト走行式ドラム型濃縮機の概略正面図である。
【図２】同じく、吸水ベルト走行式ドラム型濃縮機の概略縦断側面図である。
【図３】同じく、吸水ベルト走行式ドラム型濃縮機の背面図である。
【図４】他の実施例１の吸水ベルト走行式ドラム型濃縮機の概略正面図である。
【図５】他の実施例２の吸水ベルト走行式ドラム型濃縮機の正面図である。
【図６】他の実施例３の吸水ベルト走行式ドラム型濃縮機の正面図である。
【図７】他の実施例４の吸水ベルト走行式ドラム型濃縮機の一部縦断側面図である。
【発明を実施するための形態】
【００１７】
図１は吸水ベルト走行式ドラム型濃縮機の正面図である。平板を螺旋状に成形したリボン状の中空スパイラル１の外周端に、吸水体（吸水ベルト２）を走行自在に巻き掛けてドラム体３を構成している。吸水ベルト２は横軸のスパイラル１の底部を含んで覆うように掛け回す。吸水ベルト２は不織布、スポンジ等で外部から内部に液分を吸収し、内部に保水する公知の材質を使用できる。
【００１８】
吸水ベルト２の走行方向に向かって、ドラム体３の下流側には一対の脱水ロール４，４を配設している。脱水ロール４で吸水ベルト２を押圧し、吸水ベルト２内部に吸水したろ液を排出する。脱水ロール４の下方には、圧縮された吸水ベルト２から落水するろ液を貯留あるいは配送するろ液受け５を配設している。
【００１９】
図２は吸水ベルト走行式ドラム型濃縮機の一部縦断側面図である。スパイラル１の前後端は、円環状の外環６，６に接続しており、円筒状に形成している。外環６は、吸水ベルト２両端の走行代を確保するために、軸方向に所定の幅を有している。
【００２０】
前端部の外環６には内部の汚泥が漏れないよう蓋７を施している。蓋７には汚泥の供給管８を挿通している。蓋７から挿通された供給管８は、前端部の外環６近傍に汚泥を供給する。供給管８は図示しない供給装置に接続している。なお、蓋７は外環６すべてを覆う必要はなく、内部の汚泥が溢れ出ない高さを有していればよい。
【００２１】
前端部の外環６にはスプロケットを形成しており、チェーン９によりスパイラル駆動機１０と連結されている。前後端の外環６，６およびスパイラル１は一体的に回転自在な構成としている。スパイラル１の回転により、内部に供給された汚泥は周囲に掛け回されている吸水ベルト２により水分を吸収されつつ、液分が減少した濃縮汚泥は後端部の外環６方向に搬送される。
後端部の外環６は開放されており、濃縮された汚泥は、外環の下方に配設された濃縮汚泥受け１１に排出される。
【００２２】
図３は吸水ベルト走行式ドラム型濃縮機の背面図である。蓋７の中心部に有する開口１２から汚泥の供給管８を挿通しているので、スパイラル１と一体的に蓋７が回転しても供給管８は固定した状態で安定してドラム体３の内部に汚泥を供給できる。
【００２３】
実施例では、スパイラル１をチェーン９で回転自在に駆動しているが、プーリーや歯車等、公知の継ぎ手を用いることができる。
【００２４】
図４は、他の実施例１のドラム型濃縮機の概略正面図である。吸水ベルト２は、例えば図４（ａ）のように、スパイラル１と駆動ロール１４に無端状に巻き掛けて走行させてもよく、図４（ｂ）のように、駆動ロール１４により一方から他方へ巻き取られるように構成してもよい。
【実施例】
【００２５】
図５は、他の実施例２の吸水ベルト走行式ドラム型濃縮機の正面図であって、スパイラル１の上方には、一対のリターンロール１３，１３と駆動ロール１４および従動ロール１５を配設し、リターンロール１３の内側と、駆動ロール１４および従動ロール１５の外側から吸水ベルト２を掛け回して無端状に張設している。駆動ロール１４には図示しないロール駆動機を接続してあり、駆動ロール１４を回転させることで無端状の吸水ベルト２で形成した吸水体を走行自在に構成している。駆動ロール１４と従動ロール１５間には吸水ベルト２を洗浄するための洗浄装置１８を配設している。
【００２６】
ドラム体３の下方には、吸水ベルト２に摺接するように一対のサポートロール１７，１７を配設している。なお、サポートロール１７の位置や数は、ドラム体３の直径や汚泥の供給量等に応じて適宜配設する。
【００２７】
吸水ベルト２の走行方向に向かって、ドラム体３の下流側には一対の脱水ロール４，４を配設している。脱水ロール４で吸水ベルト２を押圧し、吸水ベルト２内部に吸水したろ液を排出する。
【００２８】
なお、本装置に係る構成要件をサポートする部材、例えば、フレーム、軸受、リブ等は、仕様や条件に応じて適宜配設する。
【００２９】
汚泥は図示しない汚泥供給ポンプ等で供給管８を介してドラム体３内部の前端の外環６近傍に供給される。内部に供給された汚泥は、重力濃縮作用により吸水ベルト２から液分を吸水される。
【００３０】
吸水ベルト２上に残留する汚泥は、ドラム体３の底部から吸水ベルト２の走行に沿って中心軸近くの高さまで搬送された後、自重によって底部に落泥する。この時、汚泥の揉み解し作用により汚泥内部の液分が表面に抽出され、吸水ベルト２による固液分離が促進される。
【００３１】
ドラム体３内で吸水ベルト２に追随して移動する汚泥を自重によって底部に落泥させるために、スパイラル１に巻き掛けている吸水ベルト２は上方に向かって走行させる。リターンロール１３，１３の間隔をスパイラル１の直径以下に配置して、吸水ベルト２をスパイラル１の中心軸の上方まで巻き掛けることが望ましい。また、吸水ベルト２の巻き掛け角度、張力等に応じて、リターンロール１３の間隔、高さを適宜設定する。
【００３２】
本実施例では一対の脱水ロール４，４を配設して吸収した水分を排出しているが、リターンロール１３、駆動ロール１４あるいは従動ロール１５に対向して脱水ロール４を単独で配設してもよい。また、必要に応じて吸水ベルト２を洗浄するための洗浄装置１８を配設してもよい。
【００３３】
吸水ベルト２の走行と独立して、螺旋状のスパイラル１の回転作用により、内部の汚泥は排出側に搬送され、その間にも揉み解し作用を受けてさらに濃縮される。スパイラル１のピッチや平板の高さ等は、搬送する汚泥が隣段に越流しないよう供給量等に応じて適宜設定する。
【００３４】
濃縮度はスパイラル１の回転速度あるいは吸水ベルト２の走行速度を制御することによって調整できる。
【００３５】
スパイラル１の回転速度を遅くすると、内部の汚泥の滞留時間が長くなり、濃縮度が高くなる。逆に、スパイラル１の回転速度を速くすると、内部の汚泥の滞留時間が短くなり、濃縮度が低くなる。
【００３６】
吸水ベルト２の走行速度を速くすると、水分を吸収した部分が早期に通り過ぎ、内部に液分を含んでいない吸水ベルト２に汚泥が接触する割合が多くなり、濃縮度が高くなる。逆に、吸水ベルト２の走行速度を遅くすると、水分を吸収した部分が長く滞留し、内部に液分を含んでいない吸水ベルト２に汚泥が接触する割合が少なくなり、濃縮度が低くなる。
【００３７】
図６は、他の実施例３の吸水ベルト走行式ドラム型濃縮機の正面図であって、２台のドラム体３，３を並設し、１枚の無端状の吸水ベルト２を２台のドラムに掛け回している。
【００３８】
吸水ベルト２を一方のスパイラル１に掛け回し、その上方のリターンロール１３で反転させた後、他方のスパイラル１の上方のリターンロール１３を介して他方のスパイラル１に掛け回し、それぞれのリターンロール１３から駆動ロール１４および従動ロール１５に掛け回している。
【００３９】
駆動ロール１４をロール駆動機で駆動することで吸水ベルト２が複数のスパイラル１，１間を走行する。
【００４０】
それぞれのドラム体３の吸水ベルト２の走行方向に向かって下流側に、一対の脱水ロール４，４を配設しており、ドラム体３で汚泥から吸水した水分を排出する。
【００４１】
なお、スパイラル１の回転は、それぞれに独立したスパイラル駆動機１０，１０を接続してもよく、あるいは、並設したスパイラル１，１を１巻のチェーン９で接続し、単機のスパイラル駆動機１０で同時に回転させてもよい。
【００４２】
図７は、他の実施例４の吸水ベルト走行式ドラム型濃縮機の一部縦断側面図であって、平板で形成したリボン状の中空スパイラルに代わって、中心軸１９に螺旋状のスパイラル１ａを巻き掛けて形成してもよい。この場合、中心軸１９をドラム体３から延出させ、中心軸１９をスパイラル駆動機１０と接続してもよい。
【００４３】
汚泥の供給は、中心軸１９を中空として、汚泥の供給管８を兼用する。中心軸１９の前縁の外環６近傍に供給口２０を開口する。中心軸１９に螺旋状のスパイラル１aを巻き掛けると、隣段への汚泥の越流の心配がない。
【産業上の利用可能性】
【００４４】
この発明に係る吸水ベルト走行式ドラム型濃縮機は、複雑な形状をしている固形分を含む汚泥でも連続的に濃縮することができる装置である。例えば、特に長尺な紐状をしている汚泥や繊維分が絡み合った汚泥でも、安定的に濃縮することができ、後段のスクリュープレスやベルトプレス等による脱水処理に負荷が掛からず、全体の管理性が向上するものである。
【符号の説明】
【００４５】
１，１ａ  スパイラル
２  吸水ベルト
３  ドラム体
４  脱水Ｒ−る
６  外環
８  供給管
１３  リターンロール
１４  駆動ロール
１８  洗浄装置
１９  中心軸
【図１】
2018094469.tif 000003
【図２】
2018094469.tif 000004
【図３】
2018094469.tif 000005
【図４】
2018094469.tif 000006
【図５】
2018094469.tif 000007
【図６】
2018094469.tif 000008
【図７】
2018094469.tif 000009